(57)【要約】【課題】画像ファイルが記録された記録媒体とプリント注文票とを用いて簡単かつ確実に所望の画像をプリント注文することができる記録媒体及び注文受付端末並びにプリント注文方法の提供。【解決手段】画像ファイルとプリント注文票８のバージョン情報とが記録された記録媒体７を注文受付端末１１に挿入すると、注文受付端末１１は記録媒体７から画像ファイルとプリント注文票８のバージョン情報とを読み取り、このバージョン情報に対応付けられたレイアウト情報を参照して、画像ファイルに基づく画像をプリント注文票８のサムネイル画像と同じレイアウトで表示手段に表示する。これにより、プリント注文票８のサムネイル画像と注文受付端末１１に表示される画像とを対応付けることができ、プリント注文する画像を簡単かつ確実に特定することができる。【選択図】図１
2005011188.tif 000002
【特許請求の範囲】
【請求項１】
少なくとも、ユーザから提供された画像ファイルと、前記画像ファイルに基づく画像をプリント注文するためのプリント注文票のバージョン情報と、が記録されていることを特徴とする記録媒体。
【請求項２】
前記バージョン情報は、前記プリント注文票における、前記画像ファイルに基づく画像を縮小したサムネイル画像のレイアウト情報を含むことを特徴とする請求項１記載の記録媒体。
【請求項３】
記録媒体に記録された画像ファイルに基づく画像をプリント注文するための注文受付端末であって、
前記記録媒体から、前記画像ファイルと、該記録媒体と共に提供されるプリント注文票のバージョン情報とを読み取る読取手段と、
前記バージョン情報に対応付けられたレイアウト情報を参照して、前記画像ファイルに基づく画像が前記プリント注文票における前記サムネイル画像と同じレイアウトで表示される注文画面を作成する注文画面作成手段と、を少なくとも備えることを特徴とする注文受付端末。
【請求項４】
前記バージョン情報は、前記プリント注文票における、前記画像ファイルに基づく画像を縮小したサムネイル画像のレイアウト情報を含むことを特徴とする請求項３記載の注文受付端末。
【請求項５】
前記注文画面作成手段では、前記バージョン情報から前記レイアウト情報を抽出、又は、予め記録されたテーブルを参照して前記バージョン情報に対応するレイアウト情報を抽出することを特徴とする請求項３又は４に記載の注文受付端末。
【請求項６】
少なくとも、ユーザから提供された画像ファイルが記録された記録媒体と、
前記画像ファイルに基づく画像を縮小したサムネイル画像がレイアウトされた前記プリント注文票と、
前記画像ファイルに基づく画像をプリント注文するための注文受付端末と、を用いたプリント注文方法であって、
前記記録媒体に、前記画像ファイルと共に前記プリント注文票のバージョン情報を記録しておき、
前記注文受付端末では、前記記録媒体から、前記画像ファイルと前記プリント注文票のバージョン情報とを読み出し、該バージョン情報に対応付けられたレイアウト情報を参照して、前記画像ファイルに基づく画像が前記プリント注文票における前記サムネイル画像と同じレイアウトで表示される注文画面を表示することを特徴とするプリント注文方法。
【請求項７】
前記バージョン情報は、前記プリント注文票における、前記画像ファイルに基づく画像を縮小したサムネイル画像のレイアウト情報を含むことを特徴とする請求項６記載のプリント注文方法。
【請求項８】
前記注文受付端末では、前記バージョン情報から前記レイアウト情報を抽出、又は、予め記録されたテーブルを参照して前記バージョン情報に対応するレイアウト情報を抽出することを特徴とする請求項６又は７に記載のプリント注文方法。
【発明の詳細な説明】
【０００１】
【発明の属する技術分野】
本発明は、記録媒体に記録された画像ファイルに基づく画像をプリント注文するための記録媒体及び注文受付端末並びにプリント注文方法に関する。
【０００２】
【従来の技術】
近年、写真画像に関する様々なサービスが提供されている。例えば、フィルムカメラで撮影した写真画像の場合は、ラボ等の写真店やコンビニエンスストア等の注文店にユーザが撮影した写真フィルムを持ち込むと、写真店では、写真フィルムを現像した後、スキャナ等で画像情報を読み取り、画像ファイルとしてＣＤ−Ｒ、ＤＶＤ−Ｒ等の記録媒体に書き込むサービスが行われている。また、デジタルカメラで撮影した写真画像の場合も、デジタルカメラやデジタルカメラ用の記録媒体に記録された画像ファイルを記録媒体にバックアップするサービスが行われている（例えば、特開平５−１８２３７３号公報等）。
【０００３】
一方、近年、ＤＶＤプレーヤーやＤＶＤレコーダーのようなディスク型記録媒体を再生する機能を備える機器（以下、画像再生機器と呼ぶ。）が販売されており、この画像再生機器は一般の家電製品と同様に簡単な操作で画像や音声を再生することができ、かつ、画像を高精細に再生することができることから広く普及している。しかしながら、このような画像再生機器は専用の形式でデータが記録された記録媒体を再生するものであり、静止画を記録する一般的なフォーマットであるＪＰＥＧ形式の画像ファイルなどを再生することはできない。そこで、上記画像再生機器でも利用することができるように読み取った画像ファイルを変換して記録媒体に書き込むサービスも行われている。
【０００４】
【特許文献１】
特開平５−１８２３７３号公報（第４−６頁、第３図）
【０００５】
【発明が解決しようとする課題】
このような画像ファイルを記録媒体に書き込みサービス（以下、記録媒体書き込みサービスと呼ぶ。）では、ユーザが好みの写真画像をプリント注文できるように記録媒体にプリント注文票が添付され、ユーザはパソコンや画像再生機器で画像ファイルを再生しながら、プリント注文票に注文情報を書き込み、プリント注文票と記録媒体を写真店に持ち込むことにより写真プリントの注文を行うことができる。
【０００６】
一般に、プリント注文票には、記録媒体に記録されている画像ファイルに基づく画像を縮小したサムネイル画像が一覧形式で表示されており、パソコンや画像再生機器に表示された画像とプリント注文票にプリントされたサムネイル画像とを見比べながらプリント注文票に注文情報を書き込む。そして、注文情報を書き込んだプリント注文票と記録媒体とを写真店の店員に渡したり、店舗内に設置された注文受付端末を用いてプリント注文票を見ながら画面に表示される画像を選択してプリント注文を行うことになる。
【０００７】
その場合に、プリント注文票に表示されているサムネイル画像のレイアウトと注文受付端末のモニタに表示されている画像のレイアウトとが同じであればプリント注文する画像を簡単に特定することができる。しかしながら、以前に受け取ったプリント注文票を用いてプリント注文を行う場合には、プリント注文票のサムネイル画像のレイアウトと注文受付端末のモニタに表示される画像のレイアウトとが一致しない場合もあり、そのような場合にはプリント注文しようとするサムネイル画像がモニタ上のどの画像に対応するかを逐一確認しなければならず注文操作が煩雑になると共に、間違った画像を注文してしまう恐れもある。
【０００８】
本発明は、上記問題点に鑑みてなされたものであって、その主たる目的は、画像ファイルが記録された記録媒体とプリント注文票とを用いて簡単かつ確実に所望の画像をプリント注文することができる記録媒体及び注文受付端末並びにプリント注文方法を提供することにある。
【０００９】
【課題を解決するための手段】
上記目的を達成するため、本発明の記録媒体は、少なくとも、ユーザから提供された画像ファイルと、前記画像ファイルに基づく画像をプリント注文するためのプリント注文票のバージョン情報と、が記録されているものである。
【００１０】
本発明においては、前記バージョン情報は、前記プリント注文票における、前記画像ファイルに基づく画像を縮小したサムネイル画像のレイアウト情報を含む構成とすることができる。
【００１１】
また、本発明の注文受付端末は、記録媒体に記録された画像ファイルに基づく画像をプリント注文するための注文受付端末であって、前記記録媒体から、前記画像ファイルと、該記録媒体と共に提供されるプリント注文票のバージョン情報とを読み取る読取手段と、前記バージョン情報に対応付けられたレイアウト情報を参照して、前記画像ファイルに基づく画像が前記プリント注文票における前記サムネイル画像と同じレイアウトで表示される注文画面を作成する注文画面作成手段と、を少なくとも備えるものである。
【００１２】
本発明においては、前記注文画面作成手段では、前記バージョン情報から前記レイアウト情報を抽出、又は、予め記録されたテーブルを参照して前記バージョン情報に対応するレイアウト情報を抽出する構成とすることができる。
【００１３】
また、本発明のプリント注文方法は、少なくとも、ユーザから提供された画像ファイルが記録された記録媒体と、前記画像ファイルに基づく画像を縮小したサムネイル画像がレイアウトされた前記プリント注文票と、前記画像ファイルに基づく画像をプリント注文するための注文受付端末と、を用いたプリント注文方法であって、前記記録媒体に、前記画像ファイルと共に前記プリント注文票のバージョン情報を記録しておき、前記注文受付端末では、前記記録媒体から、前記画像ファイルと前記プリント注文票のバージョン情報とを読み出し、該バージョン情報に対応付けられたレイアウト情報を参照して、前記画像ファイルに基づく画像が前記プリント注文票における前記サムネイル画像と同じレイアウトで表示される注文画面を表示するものである。
【００１４】
このように、本発明の構成によれば、ユーザが提供した画像ファイルと、プリント注文票のバージョン情報とが記録される記録媒体を注文受付端末に挿入すると、注文受付端末では、プリント注文票のバージョン情報に対応付けられたレイアウト情報を参照して、表示手段上にはプリント注文票と同じレイアウトで画像ファイルに基づく画像が表示されるため、プリント注文票のサムネイル画像と注文受付端末の表示手段に表示される画像とを簡単に対応付けることができ、ユーザはプリント注文票を見ながら簡単かつ確実に所望の画像のプリント注文を行うことができる。
【００１５】
【発明の実施の形態】
本発明のプリント注文方法は、その好ましい一実施の形態において、ユーザが提供した画像ファイルと、プリント注文票のバージョン情報とが少なくとも記録された記録媒体と、画像ファイルに基づく画像を縮小したサムネイル画像が一覧形式で表示されるプリント注文票と、注文受付端末とを用い、ユーザは記録媒体をパソコン等のコンピュータ機器やＤＶＤプレーヤー等の画像再生機器に挿入して画像をスライド表示しながらプリント注文票に注文情報を記入し、注文情報を記入したプリント注文票と記録媒体とを写真店に持ち込み、記録媒体を店舗内に設置された注文受付端末に挿入すると、注文受付端末は記録媒体から画像ファイルとプリント注文票のバージョン情報とを読み取り、このバージョン情報からサムネイル画像のレイアウト情報を抽出し、又は、予め記憶されたテーブルを参照してバージョン情報で特定されるバージョンに対応するレイアウト情報を抽出し、該レイアウト情報を参照して、画像ファイルに基づく画像をプリント注文票のサムネイル画像と同じレイアウトでモニタ等の表示手段に表示する。そのため、ユーザはプリント注文票を見ながら、注文受付端末を操作して簡単かつ確実に所望の画像のプリント注文を行うことができる。
【００１６】
【実施例】
上記した本発明の実施の形態についてさらに詳細に説明すべく、本発明の一実施例に係るプリント注文用記録媒体及び注文受付端末並びにプリント注文方法について、図１乃至図９を参照して説明する。図１は、本発明の一実施例に係るプリント注文システムの構成を模式的に示す図であり、図２は、画像記録装置の主要な手段を示すブロック図、図３は、注文受付端末の主な手段を示すブロック図である。また、図４は、本実施例の記録媒体及びプリント注文票を入手する手順を示すフローチャート図であり、図５は、本実施例の記録媒体及びプリント注文票を用いてプリント注文を行う手順を示すフローチャート図である。また、図６及び図７は、プリント注文票の構成例を示す図であり、図８は、パソコン又は画像再生機器の表示手段に表示される画面の構成例、図９は、注文受付端末の表示手段に表示される画面の構成例を示す図である。
【００１７】
以下の説明で使用する「静止画像ファイル」とは、１枚の独立した画像ファイルを意味し、全ての画素のデータがそのまま書かれているものや、冗長度を省いて圧縮したデータとして書かれているものなどを含む。例えば、パソコン等のコンピュータ機器で表示可能な形式としてはＪＰＥＧ方式で圧縮されたものが一般的であり、ＤＶＤプレーヤー等の画像再生機器で再生可能な形式としてＶｉｄｅｏ−ＣＤ形式やＤＶＤ−Ｖｉｄｅｏ形式などがあるが、他の方式で圧縮されたファイルや圧縮されていないファイルであってもよい。
【００１８】
また、「動画ファイル」とは、ある一定時間間隔で画像を切り変えて表示するためのデータを意味し、静止画像ファイルを基に作成されたファイルも含む。例えば、ＭＰＥＧなどのファイルは、基準となる画像のデータは独立したデータとして書かれ、それ以降は基準画像との差分だけが記録されるものであり、基準画像としての静止画像ファイルに差分０のデータを記録すれば静止画像ファイルから動画ファイルが作成される。なお、本実施例においては特に断らない限り、「画像ファイル」とは「静止画像ファイル」及び「動画ファイル」の双方を指すものとする。
【００１９】
また、「スライドショー」とは、一般にスライド（静止画像ファイル）が連続的に表示されるものを言うが、本明細書では、静止画像ファイルのスライド表示に混在して動画ファイルが表示されるものや、静止画像ファイルに基づいて作成された動画ファイルを含む複数の動画ファイルが連続して再生されるものもスライドショーと呼ぶものとする。
【００２０】
図１に示すように、本実施例のプリント注文システムは、パソコン２又は画像再生機器３のいずれか一方又はその両方を保有するユーザ１と、画像記録装置１０や注文受付端末１１を備えるミニラボ等の写真店９とからなる。画像記録装置１０は、ユーザ１から提供されたデジタルカメラ５やカメラ付き携帯電話機などの写真撮影機能を備えた機器（以下、デジタルカメラとして説明する。）やスマートメディア、コンパクトフラッシュ（登録商標）、メモリースティック（登録商標）、ＳＤメモリーカード、マルチメディアカード等のデジタルカメラ５用の記録媒体（以下、メディア４と呼ぶ。）、撮影済みの写真フィルム６から画像ファイルを読み取ってＣＤ−ＲやＤＶＤ−Ｒ、ＤＶＤ−ＲＷ、ＤＶＤ−ＲＡＭ等のディスク状記録媒体（以下、単に記録媒体７と呼ぶ。）に書き込んだり、プリント注文票８や写真プリント１２を作成する。また、注文受付端末１１は、液晶パネルやＣＲＴ等の表示手段と、タッチパネル、キーボード等の操作手段とを備え、記録媒体７に記録された画像ファイルに基づく画像を用いて写真プリント１２の注文を行うことができるように構成されている。
【００２１】
なお、図１では、注文受付端末１１で写真プリント１２の注文のみを行い、画像記録装置１０で記録媒体７の作成やプリント注文票８、写真プリント１２の作成を行う構成としているが、注文受付端末１１でデジタルカメラ５やメディア４から画像ファイルを読み取ったり記録媒体７を作成する構成としてもよい。また、図１では、写真店９で直接プリント注文を行う構成としているが、コンビニエンスストア等の注文店を介してプリント注文を行う構成としてもよい。
【００２２】
図２は、画像記録装置１０の中で本実施例に関連する手段を抜き出したブロック図である。図２に示すように、画像記録装置１０には、プリント注文票８のバージョン情報（本実施例では、プリント注文票８のバージョンを示す情報に限らず、プリント注文票８に表示されるサムネイル画像のレイアウト情報なども含む。）を記憶するバージョン情報記憶手段１０ｂと、入力された画像ファイルを画像再生機器３で表示するための動画ファイルを作成する動画ファイル作成手段１０ｃと、インデックスプリントを兼ねるプリント注文票８を作成するプリント注文票作成手段１０ｄとが制御手段１０ａにより制御されている。また、プリント注文票作成手段１０ｄには、バージョン情報の中からレイアウト情報を抽出し、又は予め記憶されたテーブルを参照してバージョン情報で特定されるバージョンに対応するレイアウト情報を抽出し、このレイアウト情報を参照して、サムネイルのレイアウトを設定する画像レイアウト設定手段１０ｅを備えている。
【００２３】
また、図３は、注文受付端末１１の中で本実施例に関連する手段を抜き出したブロック図である。図３に示すように、注文受付端末１１には、記録媒体７に記録されている画像ファイルやプリント注文票８のバージョン情報を読み取る読取手段１１ｂと、記録媒体７に記録されている画像ファイルに基づく画像のプリント注文を行うための画面を作成するプリント注文画面作成手段１１ｃと、液晶パネルやＣＲＴ等の表示手段１１ｅと、タッチパネル、キーボード等の操作手段１１ｆとが制御手段１１ａにより制御されている。また、注文受付画面作成手段１１ｃには、読み取ったバージョン情報の中からレイアウト情報を抽出し、又は予め記憶されたテーブルを参照してバージョン情報で特定されるバージョンに対応するレイアウト情報を抽出し、このレイアウト情報を参照して、表示手段１１ｅに表示する画像のレイアウトを設定する画像レイアウト設定手段１１ｄを備えている。
【００２４】
上記構成のプリント注文システムを用いて、ユーザ１が画像ファイルを提供してから記録媒体７とプリント注文票８とを受け取るまでの手順について、図４のフローチャート図を参照して説明する。なお、以下では、記録媒体７にはパソコン２と画像再生機器３の双方で再生可能に画像ファイルを記憶する場合について説明するが、いずれか一方で再生できるように画像ファイルを記憶してもよい。
【００２５】
まず、ステップＳ１０１で、ユーザ１がデジタルカメラ５やメディア４、写真フィルム６などを写真店９に持ち込みプリント注文を行うと、ステップＳ１０２で、写真店９では、画像記録装置１０を用いて、デジタルカメラ５やメディア４から画像ファイルを読み取ったり、写真フィルム６を現像した後、現像済みの写真フィルムをスキャンして画像ファイルを読み取る。なお、読み取った画像ファイルの全てを記録媒体７に記録してもよいが、明らかに画像が写っていない画像ファイルや画像が乱れている画像ファイル等を除外してもよく、ユーザ１が記録媒体７に記録する画像ファイルを制限した場合にはその指示に従って画像ファイルを読み込むようにしてもよい。
【００２６】
次に、記録媒体７に記録するファイル群を作成するが、記録媒体７をパソコン２でも画像再生機器３でも利用可能とするために、画像再生機器３に対しては、ステップＳ１０４で動画ファイル作成手段１０ｃを用いて静止画像ファイルから動画ファイルを作成する。動画ファイルを作成する方法は特に限定されないが、例えば、静止画像ファイルを７２０ｐｉｘｅｌ×４８０ｐｉｘｅｌ程度のサイズに縮小し、１秒当たり３０フレーム程度の静止画像ファイルを予め設定されたスライド間隔で指定される時間だけ重ね合わせればよい。なお、画像再生機器２１によってはｊｐｅｇ等の静止画像ファイルを表示することができる場合もあり、その場合には再生画像ファイルから動画ファイルを作成せずに、記録媒体７に静止画像ファイルのみを記録する構成とすることもできる。
【００２７】
そして、読み取った画像ファイルと、ステップＳ１０４で作成した動画ファイルと、スライドショープログラム等のアプリケーションと、アプリケーションの設定ファイルと、必要に応じて画像ファイルと共に再生する楽曲音声ファイル等とを記録媒体７に記録するが、その際、画像再生機器３では記録媒体７の記録領域によっては読み込みができなくなるため、ステップＳ１０５で、データシーク順を考慮して、例えば、記録媒体７の内側に画像再生機器用のファイル群（動画ファイル）を記録する。なお、例えば、動画ファイルの画像形式としてＭＰＥＧ１を用いＣＤ−Ｒに記録すればＶｉｄｅｏ−ＣＤ形式の記録媒体７を作成することができ、動画ファイルの画像形式としてＭＰＥＧ２を用いＤＶＤ−Ｒに記録すればＤＶＤ−Ｖｉｄｅｏ形式の記録媒体７を作成することができる。
【００２８】
次に、パソコン用のファイル群の記録を行う前に、ステップＳ１０６で一旦セッションをクローズした後、ステップＳ１０７で、読み取った画像ファイルと、アプリケーションと、アプリケーション設定ファイル等のパソコン用ファイル群及び注文受付端末１１で利用するプリント注文票のバージョン情報を、記録媒体７に先に記録された画像再生機器用ファイル群の外側の領域に記録する。
【００２９】
次に、画像レイアウト設定手段１０ｅは、バージョン情報記憶手段１０ｂからプリント注文票８のバージョン情報を読み出し、バージョン情報の中からレイアウト情報を抽出し、又は予め記憶されたテーブルを参照してバージョン情報で特定されるバージョンに対応するレイアウト情報を抽出し、このレイアウト情報を参照して、サムネイル画像のレイアウトを設定し、ステップＳ１０８で、プリント注文票作成手段１７を用いて、プリント注文票の作成を行う。このプリント注文票は、例えば、図６に示すように構成され、記録媒体７に書き込まれた画像ファイルに基づく画像を縮小したサムネイル画像１３がバージョン情報に基づいて設定されたレイアウト（ここでは１行当たり５コマとし、全１８個の画像ファイルをファイル名や撮影日時、ファイル作成日時を参照して左から右に順に配置する。）で一覧表示されると共に、各々のサムネイル画像１３には、プリント枚数やプリントサイズ等の注文情報（ここではプリント注文枚数のみ）を記入するための注文情報記入欄１４が表示される。
【００３０】
また、プリント注文票８には必ずしも画像情報が表示されている必要はなく、例えば、図７に示すように、画像ファイルに基づく画像に対応付けられた画像特定情報１５とプリント枚数やプリントサイズ等の注文情報を記入するための注文情報記入欄１４とがセットになって、バージョン情報に基づいて設定されたレイアウトで配列される構成としてもよい。なお、プリント注文票８の作成は、記録媒体７にファイル群を記録した後に行う必要はなく、ステップＳ１０２で、画像ファイルを読み込んだ後のいずれのステップで行ってもよい。
【００３１】
そして、ステップＳ１０９で、写真店９は、パソコン用ファイル群と画像再生機器用ファイル群とプリント注文票８のバージョン情報とが記録された記録媒体７と、バージョン情報に基づいて設定されたレイアウトでサムネイル画像１３が配列されたプリント注文票８とをユーザ１に提供する。
【００３２】
次に、記録媒体７とプリント注文票８とを用いてプリント注文を行う手順について、図５のフローチャート図を参照して説明する。なお、ここでは記録媒体７に記録された画像ファイルをスライドショーとして表示する（画像再生機器３の場合はスライドショーのように動画ファイルが連続して再生される）場合について示すが、表示方法はスライドショーに限定されず、パソコン２や画像再生機器３を操作して所望の画像ファイルを表示する（例えば、画像ファイルを１つづつ指定して画面に表示する）構成としてもよい。
【００３３】
まず、ステップＳ２０１で、ユーザ１は、自宅のパソコン２又は画像再生装置３に記録媒体７を挿入すると、ステップＳ２０２で、記録媒体７に記録された画像ファイルに基づく画像が順次スライド表示される。その際、画面上に画像ファイルのみが表示される構成としてもよいが、プリント注文をより簡単にするために、例えば、図８（ａ）に示すように、表示画面１６に各々の画像ファイルに基づく画像１７と、プリント注文票８に記録された画像特定情報１５とが合成された画像が表示されるようにしてもよい。なお、画像特定情報１５は画像１７の中に表示される必要はなく、例えば、図８（ｂ）に示すように画像１７の外側の任意の位置に表示することもできる。また、図８では、画像ファイルに基づく画像１７と画像特定情報１５とを同時に表示する場合を示しているが、例えば、画像１７を表示する前（又は後）に画像特定情報１５のみを表示して、その後（又は前）に画像ファイルに基づく画像１７のみを表示するようにしてもよい。
【００３４】
そして、ユーザ１は、スライドショーを閲覧し、ステップＳ２０３でプリント注文を望む画像１７が表示されたら、ステップＳ２０４で、その画像１７に対応するサムネイル画像１３の注文情報記入欄１４（図６の構成の場合）や、その画像１７と共に表示される画像特定情報１５に対応する注文情報記入欄１４（図７の構成の場合）にプリント枚数、プリントサイズ等の注文情報を記入し、この操作を一連のスライドショーが終了するまで行う。
【００３５】
次に、プリント注文票８に注文情報を書き込んだら、プリント注文票８と記録媒体７とを写真店９に持ち込み、写真店９に設置された注文受付端末１１を用いてプリント注文を行う。具体的には、ステップＳ２０５で記録媒体７を注文受付端末１１に設けられたスロットに挿入すると、ステップＳ２０６で、注文受付端末１１は読取手段１１ｂを用いて記録媒体７から画像ファイルと共にプリント注文票８のバージョン情報を読み取る。
【００３６】
次に、画像レイアウト設定手段１１ｄは、バージョン情報の中からレイアウト情報を抽出し、又は予め記憶されたテーブルを参照してバージョン情報で特定されるバージョンに対応するレイアウト情報を抽出し、このレイアウト情報を参照して、表示手段１１ｅに表示する画像のレイアウトを設定し、ステップＳ２０８で、設定されたレイアウトに従って読み取った画像ファイルに基づく画像を一覧表示する。例えば、表示手段には、図９に示すようなプリント注文画面１８が表示され、画像１９が図６又は図７と同じレイアウトで表示される。
【００３７】
ここで、従来のプリント注文方法では、記録媒体７には画像ファイルのみが記録されていたため、例えば、古いバージョンのプリント注文票８を用いてプリント注文を行う場合、プリント注文票８のサムネイル画像１３のレイアウトと注文受付端末１１のプリント注文画面１８に表示される画像１９のレイアウトとが一致しない場合（例えば、プリント注文票８では１行当たり４コマ、注文受付端末１１では１行当たり５コマ等）があり、この場合には、プリント注文票８のサムネイル画像１３とプリント注文画面１８の画像１９とを見比べながら注文する画像を特定しなければならなかったが、本実施例の場合は、プリント注文票８のサムネイル画像１３のレイアウトとプリント注文画面１８に表示される画像１９のレイアウトとが一致している（ここでは共に１行当たり５コマ）ため、ユーザ１はサムネイル画像１３と同じ位置の画像１９を選択すればよく、注文受付端末１１での操作を格段に簡単にすることができる。
【００３８】
そして、ステップＳ２０９でプリント注文する画像を選択（例えば、プリント注文票８の２行２列の位置（図６の網掛け位置）の画像をプリント注文する場合は、プリント注文画面１８の２行２列の位置（図９の網掛け位置）を選択）し、その位置の注文情報記入領域２０に注文情報を記入した後、例えば、画面中に設けられたプリント注文ボタン等を押してプリント注文を行う。なお、プリント注文画面１８は、画像１９がサムネイル画像１３と同じレイアウトで表示されていればよく、注文情報記入領域２０の構成や注文情報の入力方法、プリント注文の指示方法等は図９の構成に限定されない。
【００３９】
次に、ステップＳ２１０で、注文受付端末１１はプリント注文する画像ファイルの指定情報やプリント枚数、プリントサイズ等の注文情報を画像記録装置１０や図示しない他の印刷装置に送り、画像記録装置１０等では該情報に従って写真プリント１２を作成し、ステップＳ２１１で、記録媒体７と、写真プリント１２と、新たなプリント注文票８とをユーザ１に提供する。
【００４０】
このように、本実施例では、記録媒体７には、ユーザが提供した画像ファイルと共に、記録媒体７と対になって提供されるプリント注文票８のバージョン情報が記録され、注文受付端末１１では、記録媒体７から画像ファイルと共にバージョン情報を読み取り、バージョン情報の中からレイアウト情報を抽出し、又は予め記憶されたテーブルを参照してバージョン情報で特定されるバージョンに対応するレイアウト情報を抽出し、このレイアウト情報を参照して、表示手段１１ｅに画像１９を表示するため、ユーザ１は、注文受付端末１１でプリント注文する際に、プリント注文票８のサムネイル画像１３と表示手段１１ｅ上の画像１９とを見比べなくても注文する画像を特定することができるため、簡単かつ確実にプリント注文を行うことができる。
【００４１】
【発明の効果】
以上説明したように、本発明の記録媒体及び注文受付端末並びにプリント注文方法によれば、画像ファイルが記録された記録媒体とプリント注文票を用いたプリント注文を、簡単かつ確実に行うことができる。
【００４２】
その理由は、記録媒体には、ユーザが提供した画像ファイルと共に、記録媒体と対になって提供されるプリント注文票のバージョン情報が記録され、注文受付端末では、記録媒体から画像ファイルと共にバージョン情報を読み取り、このバージョン情報を参照して設定されるレイアウトで表示手段に画像を表示するため、プリント注文票のサムネイル画像のレイアウトと注文受付端末のプリント注文画面における画像のレイアウトとを一致させることができ、これにより画像を見比べなくても注文する画像を特定することができるからである。
【図面の簡単な説明】
【図１】本発明の一実施例に係るプリント注文システムの構成を模式的に示す図である。
【図２】本発明の一実施例に係る画像記録装置の主要な手段を示すブロック図である。
【図３】本発明の一実施例に係る注文受付端末の主要な手段を示すブロック図である。
【図４】本発明の一実施例に係る記録媒体及びプリント注文票の入手手順を示すフローチャート図である。
【図５】本発明の一実施例に係る記録媒体及びプリント注文票を用いたプリント注文の手順を示すフローチャート図である。
【図６】本発明の一実施例に係るプリント注文票の構成例を示す図である。
【図７】本発明の一実施例に係るプリント注文票の他の構成例を示す図である。
【図８】パソコン又は画像再生機器で表示される画面の構成例を示す図である。
【図９】注文受付端末で表示されるプリント注文画面の構成例を示す図である。
【符号の説明】
１  ユーザ
２  パソコン
３  画像再生機器
４  メディア
５  デジタルカメラ
６  写真フィルム
７  記録媒体
８  プリント注文票
８ａ  記入済みプリント注文票
９  写真店
１０  画像記録装置
１０ａ  制御手段
１０ｂ  バージョン情報記憶手段
１０ｃ  動画ファイル作成手段
１０ｄ  プリント注文票作成手段
１０ｅ  サムネイル画像配列順序設定手段
１１  注文受付端末
１１ａ  制御手段
１１ｂ  バージョン情報読取手段
１１ｃ  プリント注文画面作成手段
１１ｄ  表示画像配列順序設定手段
１１ｅ  表示手段
１１ｆ  操作手段
１２  写真プリント
１３  サムネイル画像
１４  注文情報記入欄
１５  画像特定情報
１６  表示画面
１７  画像
１８  プリント注文画面
１９  画像
２０  注文情報記入領域
【図１】
2005011188.tif 000003
【図２】
2005011188.tif 000004
【図３】
2005011188.tif 000005
【図４】
2005011188.tif 000006
【図５】
2005011188.tif 000007
【図６】
2005011188.tif 000008
【図７】
2005011188.tif 000009
【図８】
2005011188.tif 000010
【図９】
2005011188.tif 000011